(57)【要約】【課題】有機ＥＬ素子を光源とする光源部を備えた発光モジュールにおいて、光源部の配置自由度を高める。【解決手段】発光モジュール１は、有機ＥＬ素子を光源とする複数の光源部２と、これら光源部２を着脱可能に装着する長尺形状のベース部３と、を備える。ベース部３は、光源部２に接続され光源部２への給電に用いられるコネクタ４と、コネクタ４をベース部３の長手方向に沿って所定の長さ毎に着脱可能に取り付けるための複数のコネクタ取付部３１と、を有する。コネクタ４を任意のコネクタ取付部３１に着脱可能に取り付けることができるので、コネクタ４の配置を変更することで、ベース部３に対する光源部２の配置自由度を高めることができる。【選択図】図１
2014103097.tif 000002
【特許請求の範囲】
【請求項１】
平板形状の光源部と、この光源部を複数個着脱可能に装着する長尺形状のベース部と、を備えた発光モジュールであって、
前記ベース部は、前記光源部に接続され該光源部への給電に用いられるコネクタと、前記コネクタを前記ベース部の長手方向に沿って所定長さ毎に着脱可能に取り付けるための複数のコネクタ取付部と、を有することを特徴とする発光モジュール。
【請求項２】
前記光源部は、前記ベース部に装着されたときに、該ベース部の長手方向における自身の長さが前記複数のコネクタ取付部間の所定長さの整数倍となるように構成されていることを特徴とする請求項１に記載の発光モジュール。
【請求項３】
前記コネクタは、複数の前記光源部が前記ベース部の長手方向に沿って互いに隣接して該ベース部に装着されたときに、互いに隣接する前記光源部の境界位置に配置され、これら互いに隣接する前記光源部同士を電気的に接続することを特徴とする請求項２に記載の発光モジュール。
【請求項４】
前記ベース部は、その長手方向に伸びる一対の辺が互いに平行であり、
前記ベース部の短手方向の長さは、前記ベース部に装着された前記光源部の前記ベース部の短手方向における長さと等しく構成されていることを特徴とする請求項１乃至請求項３のいずれか一項に記載の発光モジュール。
【請求項５】
前記ベース部は、その長手方向に伸びる一方の辺及び他方の辺に亘って、それぞれ前記光源部の装着に用いられる被係合部及び被保持部を有し、
前記光源部は、前記ベース部に装着されたときに該ベース部と対峙する装着面の一端部中央に設けられ前記被係合部と係合する係合部と、同装着面の他端部中央に設けられ前記被保持部と係合する保持部と、を有することを特徴とする請求項４に記載の発光モジュール。
【請求項６】
前記被係合部及び被保持部は、互いに異なる形状とされ、
前記被係合部は、前記係合部とのみ係合し、
前記被保持部は、前記保持部とのみ係合することを特徴とする請求項５に記載の発光モジュール。
【請求項７】
前記光源部は、その前記係合部を前記ベース部の被係合部に係合させた状態で前記ベース部の方向に回動可能とされ、
前記保持部は、前記係合部の方向とは反対側の方向に弾性付勢されていることを特徴とする請求項５又は請求項６に記載の発光モジュール。
【請求項８】
前記被保持部は、前記被係合部の方向に伸びる爪を有し、
前記保持部は、前記被保持部の爪と係合する爪を有し、
これらの爪は、前記光源部が自身の前記係合部を前記ベース部の被係合部に係合させた状態で前記ベース部の方向に回動したときに互いに接触して、前記保持部を前記係合部の方向にスライドさせる力を生み出すことを特徴とする請求項７に記載の発光モジュール。
【請求項９】
前記光源部は、前記装着面から立設された給電端子を有し、この給電端子は、前記コネクタに挿通されることを特徴とする請求項７又は請求項８に記載の発光モジュール。
【請求項１０】
前記コネクタは、前記ベース部に取り付けられたときに、該ベース部の短手方向に沿って伸び前記給電端子を挟持する端子受け部と、前記端子受け部を保持し前記給電端子が挿通される端子差込口を有する保持ケースと、を有することを特徴とする請求項９に記載の発光モジュール。
【請求項１１】
前記給電端子は、前記装着面において前記係合部と前記保持部とを結ぶ方向と直交する方向における両端部にそれぞれ設けられ、
これら給電端子は、互いに電気的に接続されていることを特徴とする請求項９又は請求項１０に記載の発光モジュール。
【請求項１２】
前記給電端子の陽極端子及び陰極端子は、前記係合部と前記保持部とを結ぶ方向と平行な方向に並んで配置されていることを特徴とする請求項１１に記載の発光モジュール。
【請求項１３】
前記ベース部は、その長手方向の少なくとも一方の端部に、前記給電端子が挿通され外表面が絶縁物材料により構成されたエンドキャップを有することを特徴とする請求項１１又は請求項１２に記載の発光モジュール。
【請求項１４】
前記ベース部は、その長手方向の少なくとも一方の端部に、前記給電端子が挿通され外表面が絶縁物材料により構成されたエンドコネクタを有し、
前記エンドコネクタは、自身に挿通された給電端子と外部に設けられた給電端子とを導体を介して電気的に接続することを特徴とする請求項１１乃至請求項１３のいずれか一項に記載の発光モジュール。
【請求項１５】
前記導体は、前記被係合部又は被保持部に設けられた導体取り出し穴を通って外部に導出されることを特徴とする請求項１４に記載の発光モジュール。
【請求項１６】
前記ベース部は、前記給電端子が挿通され該給電端子と商用電源又は他の前記発光モジュールとを電気的に接続するための入力コネクタを有することを特徴とする請求項９乃至請求項１５のいずれか一項に記載の発光モジュール。
【請求項１７】
前記入力コネクタは、前記端子受け部と、前記保持ケースと、商用電源又は他の前記発光モジュールから導出されたリード線と前記端子受け部とを接続するためのリード線端子部と、を有することを特徴とする請求項１６に記載の発光モジュール。
【請求項１８】
前記給電端子は、前記装着面において前記係合部側に設けられ、
前記コネクタ取付部は、前記ベース部において前記被係合部側に設けられていることを特徴とする請求項９乃至請求項１７のいずれか一項に記載の発光モジュール。
【請求項１９】
前記給電端子は、前記装着面において前記保持部側に設けられ、
前記コネクタ取付部は、前記ベース部において前記被保持部側に設けられていることを特徴とする請求項９乃至請求項１７のいずれか一項に記載の発光モジュール。
【請求項２０】
前記光源部は、自身の発光を制御する信号を伝達するための信号端子を更に有し、
前記信号端子並びに給電端子の陽極端子及び陰極端子は、前記係合部と前記保持部とを結ぶ方向と平行な方向に並んで配置されていることを特徴とする請求項１８又は請求項１９に記載の発光モジュール。
【請求項２１】
前記給電端子の陽極端子及び陰極端子並びに前記信号端子は、この並び順で、前記保持部側から並んで配置されていることを特徴とする請求項２０に記載の発光モジュール。
【請求項２２】
前記コネクタ取付部は、前記ベース部の長手方向から前記コネクタを挟持する一対の保持片を有することを特徴とする請求項１８乃至請求項２１のいずれか一項に記載の発光モジュール。
【請求項２３】
前記一対の保持片の前記ベース部の長手方向における間隔は、前記保持部の幅よりも大きくなるように構成されていることを特徴とする請求項２２に記載の発光モジュール。
【請求項２４】
前記一対の保持片の各々は、前記光源部側の端部から他方の保持片に向かって伸び前記コネクタを前記光源部側から保持するコネクタ抱え込み片を更に有し、
前記コネクタは、前記ベース部の長手方向における各側面に自身の前記コネクタ取付部への取り付けに用いられる一対のスライド部を有し、前記一対のスライド部が前記ベース部の短手方向から前記コネクタ抱え込み片と前記ベース部との間にスライド差込されることで前記コネクタ取付部に取り付けられることを特徴とする請求項２２又は請求項２３に記載の発光モジュール。
【請求項２５】
前記一対のスライド部の各々は、前記ベース部の短手方向における前記発光モジュール内方側の端部から前記光源部側に伸長した伸長部を有し、
前記伸長部は、前記コネクタが前記コネクタ取付部に取り付けられたときに前記コネクタ抱え込み片と当接することを特徴とする請求項２４に記載の発光モジュール。
【請求項２６】
前記一対の保持片の各々は、それぞれ複数の保持断片を有し、
一の前記保持片における各々の前記保持断片は、自身に隣接する前記保持断片に対して前記ベース部の短手方向における前記保持断片の長さよりも長い間隔を置いて配され、
前記一対のスライド部の各々は、それぞれ複数のスライド部断片を有し、
一の前記スライド部における各々の前記スライド部断片は、自身に隣接する前記スライド部断片に対して前記保持断片間の間隔と等しい間隔を置いて配され、且つ前記ベース部の短手方向における長さが同方向における前記保持断片の長さと等しくなるように構成されていることを特徴とする請求項２４又は請求項２５に記載の発光モジュール。
【請求項２７】
前記光源部が前記ベース部に装着されたときに、前記被保持部は、前記保持部に対応する位置に切り欠きを有することを特徴とする請求項１乃至請求項２６のいずれか一項に記載の発光モジュール。
【請求項２８】
前記ベース部は、自身を天井や壁面にネジ止めするためのネジを挿通する複数のネジ穴を有し、
前記複数のネジ穴は、前記コネクタ取付部の取付ピッチと半ピッチずらして設けられていることを特徴とする請求項１乃至請求項２７のいずれか一項に記載の発光モジュール。
【請求項２９】
前記光源部は、発光パネルと、この発光パネルを収納する箱型形状のパッケージと、を有し、
前記パッケージは、前記発光パネルの発光面を覆う透光性のカバーと、前記カバーに係合して前記発光パネルの発光面とは反対側の面を覆うケースと、を有し、
前記カバーは、前記ケースを収納し、前記光源部の発光面及び側面を覆うように構成されていることを特徴とする請求項１乃至請求項２８のいずれか一項に記載の発光モジュール。
【請求項３０】
請求項１乃至請求項２９のいずれか一項に記載の発光モジュールを備えたことを特徴とする照明装置。
【発明の詳細な説明】
【技術分野】
【０００１】
本発明は、有機ＥＬ素子を光源とする発光モジュール及びそれを用いた照明装置に関する。
【背景技術】
【０００２】
有機ＥＬ素子は、低電圧で高輝度の発光が可能であり、含有する有機化合物の種類によって様々な発光色が得られ、かつ平板状の発光パネルとしての製造が容易である。そのため、近年、有機ＥＬ素子を光源とする発光モジュールの開発が進められている。
【０００３】
この種の発光モジュールとして、有機ＥＬ素子を有する光源部と、この光源部を保持するベース部と、このベース部に固定され光源部への給電に用いられる電極と、を備えたものがある（例えば、特許文献１参照）。
【先行技術文献】
【特許文献】
【０００４】
【特許文献１】特開２０１２−１０４５０４号公報
【発明の概要】
【発明が解決しようとする課題】
【０００５】
しかしながら、上述したような発光モジュールでは、電極がベース部に固定されているので、光源部の配置が限定されて光源部の配置自由度が低い。
【０００６】
本発明は、上記課題を解決するものであって、有機ＥＬ素子を光源とする光源部を備えた発光モジュールにおいて、光源部の配置自由度の高い発光モジュールを提供することを目的とする。
【課題を解決するための手段】
【０００７】
本発明の発光モジュールは、平板形状の光源部と、この光源部を複数個着脱可能に装着する長尺形状のベース部と、を備え、前記ベース部は、前記光源部に接続され該光源部への給電に用いられるコネクタと、前記コネクタを前記ベース部の長手方向に沿って所定長さ毎に着脱可能に取り付けるための複数のコネクタ取付部と、を有することを特徴とする。
【０００８】
前記光源部は、前記ベース部に装着されたときに、該ベース部の長手方向における自身の長さが前記複数のコネクタ取付部間の所定長さの整数倍となるように構成されていることが好ましい。
【０００９】
前記コネクタは、複数の前記光源部が前記ベース部の長手方向に沿って互いに隣接して該ベース部に装着されたときに、互いに隣接する前記光源部の境界位置に配置され、これら互いに隣接する前記光源部同士を電気的に接続することが好ましい。
【００１０】
前記ベース部は、その長手方向に伸びる一対の辺が互いに平行であり、前記ベース部の短手方向の長さは、前記ベース部に装着された前記光源部の前記ベース部の短手方向における長さと等しく構成されていることが好ましい。
【００１１】
前記ベース部は、その長手方向に伸びる一方の辺及び他方の辺に亘って、それぞれ前記光源部の装着に用いられる被係合部及び被保持部を有し、前記光源部は、前記ベース部に装着されたときに該ベース部と対峙する装着面の一端部中央に設けられ前記被係合部と係合する係合部と、同装着面の他端部中央に設けられ前記被保持部と係合する保持部と、を有することが好ましい。
【００１２】
前記被係合部及び被保持部は、互いに異なる形状とされ、前記被係合部は、前記係合部とのみ係合し、前記被保持部は、前記保持部とのみ係合することが好ましい。
【００１３】
前記光源部は、その前記係合部を前記ベース部の被係合部に係合させた状態で前記ベース部の方向に回動可能とされ、前記保持部は、前記係合部の方向とは反対側の方向に弾性付勢されていることが好ましい。
【００１４】
前記被保持部は、前記被係合部の方向に伸びる爪を有し、前記保持部は、前記被保持部の爪と係合する爪を有し、これらの爪は、前記光源部が自身の前記係合部を前記ベース部の被係合部に係合させた状態で前記ベース部の方向に回動したときに互いに接触して、前記保持部を前記係合部の方向にスライドさせる力を生み出すことが好ましい。
【００１５】
前記光源部は、前記装着面から立設された給電端子を有し、この給電端子は、前記コネクタに挿通されることが好ましい。
【００１６】
前記コネクタは、前記ベース部に取り付けられたときに、該ベース部の短手方向に沿って伸び前記給電端子を挟持する端子受け部と、前記端子受け部を保持し前記給電端子が挿通される端子差込口を有する保持ケースと、を有することが好ましい。
【００１７】
前記給電端子は、前記装着面において前記係合部と前記保持部とを結ぶ方向と直交する方向における両端部にそれぞれ設けられ、これら給電端子は、互いに電気的に接続されていることが好ましい。
【００１８】
前記給電端子の陽極端子及び陰極端子は、前記係合部と前記保持部とを結ぶ方向と平行な方向に並んで配置されていることが好ましい。
【００１９】
前記ベース部は、その長手方向の少なくとも一方の端部に、前記給電端子が挿通され外表面が絶縁物材料により構成されたエンドキャップを有することが好ましい。
【００２０】
前記ベース部は、その長手方向の少なくとも一方の端部に、前記給電端子が挿通され外表面が絶縁物材料により構成されたエンドコネクタを有し、前記エンドコネクタは、自身に挿通された給電端子と外部に設けられた給電端子とを導体を介して電気的に接続することが好ましい。
【００２１】
前記導体は、前記被係合部又は被保持部に設けられた導体取り出し穴を通って外部に導出されることが好ましい。
【００２２】
前記ベース部は、前記給電端子が挿通され該給電端子と商用電源又は他の前記発光モジュールとを電気的に接続するための入力コネクタを有することが好ましい。
【００２３】
前記入力コネクタは、前記端子受け部と、前記保持ケースと、商用電源又は他の前記発光モジュールから導出されたリード線と前記端子受け部とを接続するためのリード線端子部と、を有することが好ましい。
【００２４】
前記給電端子は、前記装着面において前記係合部側に設けられ、前記コネクタ取付部は、前記ベース部において前記被係合部側に設けられていることが好ましい。
【００２５】
前記給電端子は、前記装着面において前記保持部側に設けられ、前記コネクタ取付部は、前記ベース部において前記被保持部側に設けられていることが好ましい。
【００２６】
前記光源部は、自身の発光を制御する信号を伝達するための信号端子を更に有し、前記信号端子並びに給電端子の陽極端子及び陰極端子は、前記係合部と前記保持部とを結ぶ方向と平行な方向に並んで配置されていることが好ましい。
【００２７】
前記給電端子の陽極端子及び陰極端子並びに前記信号端子は、この並び順で、前記保持部側から並んで配置されていることが好ましい。
【００２８】
前記コネクタ取付部は、前記ベース部の長手方向から前記コネクタを挟持する一対の保持片を有することが好ましい。
【００２９】
前記一対の保持片の前記ベース部の長手方向における間隔は、前記保持部の幅よりも大きくなるように構成されていることが好ましい。
【００３０】
前記一対の保持片の各々は、前記光源部側の端部から他方の保持片に向かって伸び前記コネクタを前記光源部側から保持するコネクタ抱え込み片を更に有し、前記コネクタは、前記ベース部の長手方向における各側面に自身の前記コネクタ取付部への取り付けに用いられる一対のスライド部を有し、前記一対のスライド部が前記ベース部の短手方向から前記コネクタ抱え込み片と前記ベース部との間にスライド差込されることで前記コネクタ取付部に取り付けられることが好ましい。
【００３１】
前記一対のスライド部の各々は、前記ベース部の短手方向における前記発光モジュール内方側の端部から前記光源部側に伸長した伸長部を有し、前記伸長部は、前記コネクタが前記コネクタ取付部に取り付けられたときに前記コネクタ抱え込み片と当接することが好ましい。
【００３２】
前記一対の保持片の各々は、それぞれ複数の保持断片を有し、一の前記保持片における各々の前記保持断片は、自身に隣接する前記保持断片に対して前記ベース部の短手方向における前記保持断片の長さよりも長い間隔を置いて配され、前記一対のスライド部の各々は、それぞれ複数のスライド部断片を有し、一の前記スライド部における各々の前記スライド部断片は、自身に隣接する前記スライド部断片に対して前記保持断片間の間隔と等しい間隔を置いて配され、且つ前記ベース部の短手方向における長さが同方向における前記保持断片の長さと等しくなるように構成されていることが好ましい。
【００３３】
前記光源部が前記ベース部に装着されたときに、前記被保持部は、前記保持部に対応する位置に切り欠きを有することが好ましい。
【００３４】
前記ベース部は、自身を天井や壁面にネジ止めするためのネジを挿通する複数のネジ穴を有し、前記複数のネジ穴は、前記コネクタ取付部の取付ピッチと半ピッチずらして設けられていることが好ましい。
【００３５】
前記光源部は、発光パネルと、この発光パネルを収納する箱型形状のパッケージと、を有し、前記パッケージは、前記発光パネルの発光面を覆う透光性のカバーと、前記カバーに係合して前記発光パネルの発光面とは反対側の面を覆うケースと、を有し、前記カバーは、前記ケースを収納し、前記光源部の発光面及び側面を覆うように構成されていることが好ましい。
【００３６】
本発明の照明装置は、上記発光モジュールを備えたことを特徴とする。
【発明の効果】
【００３７】
本発明によれば、光源部への給電に用いられるコネクタが任意のコネクタ取付部に着脱可能に取り付けられているので、コネクタの配置を変更することでベース部に対する光源部の配置自由度を高めることができる。
【図面の簡単な説明】
【００３８】
【図１】本発明の第１の実施形態に係る発光モジュールの分解斜視図。
【図２】上記発光モジュールの斜視図。
【図３】上記発光モジュールの回路図。
【図４】上記発光モジュールを構成する光源部の分解斜視図。
【図５】上記光源部の斜視図。
【図６】（ａ）は上記光源部を装着面側から見た平面図、（ｂ）は（ａ）のＩ−Ｉ線断面図。
【図７】（ａ）（ｂ）は、それぞれ別の光源部の斜視図。
【図８】上記発光モジュールを構成する入力コネクタの分解斜視図。
【図９】上記入力コネクタの斜視図。
【図１０】上記入力コネクタのベース部への取り付けを示す図。
【図１１】上記発光モジュールを構成するコネクタのベース部への取り付けを示す図。
【図１２】上記コネクタと光源部に設けられた給電端子との接続を示す平面図。
【図１３】上記コネクタと給電端子との接続を示す斜視図。
【図１４】上記ベース部の横断面図及びその部分拡大図。
【図１５】（ａ）乃至（ｃ）は、上記光源部をベース部に装着するときの動作を示す図。
【図１６】上記光源部をベース部から取り外すときの動作を示す図。
【図１７】（ａ）乃至（ｃ）は、上記光源部のベース部に対する配置パターン例を示す図。
【図１８】（ａ）（ｂ）は、上記実施形態の第１の変形例に係る発光モジュールの側面図。
【図１９】上記実施形態の第２の変形例に係る発光モジュールの上面図。
【図２０】上記実施形態の第３の変形例に係る発光モジュールの上面図。
【図２１】本発明の第２の実施形態に係る発光モジュールの分解斜視図。
【図２２】上記発光モジュールをベース部側から見たときの分解斜視図。
【図２３】（ａ）（ｂ）は、それぞれ上記発光モジュールを構成するコネクタ及び入力コネクタの分解斜視図。
【図２４】上記発光モジュールをベース部の取付面側から見たときの平面図。
【図２５】図２４において上記ベース部の図示を省略した平面図。
【図２６】（ａ）はベース部の短手方向からコネクタを挟持するコネクタ取付部を備えた発光モジュールの平面図、（ｂ）はベース部の長手方向からコネクタを挟持するコネクタ取付部を備えた発光モジュールの平面図。
【図２７】上記発光モジュールを構成する光源部の部分断面斜視図。
【図２８】（ａ）乃至（ｃ）は、上記光源部をベース部に装着するときの動作を示す図。
【図２９】（ａ）乃至（ｃ）は、上記第２の実施形態の変形例に係る発光モジュールにおいて、コネクタをコネクタ取付部に取り付けるときの動作を示す図。
【図３０】上記発光モジュールにおいて、光源部をベース部から取り外すときの動作を示す図。
【発明を実施するための形態】
【００３９】
本発明の第１の実施形態に係る照明装置の一構成である発光モジュールについて図１乃至図１７を参照して説明する。図１及び図２に示すように、発光モジュール１は、複数の光源部２と、これら光源部２を着脱可能に装着する長尺形状のベース部３と、を備える。ベース部３は、光源部２に接続され光源部２への給電に用いられるコネクタ４と、コネクタ４を着脱可能に取り付けるための複数のコネクタ取付部３１と、を有する。コネクタ取付部３１は、ベース部３の長手方向に沿って所定長さ毎に設けられ、図例では、ベース部３の長手方向端部から７５ｍｍ毎に設けられている。
【００４０】
光源部２は、１つのベース部３に対して複数個装着され、図例では、互いに大きさの異なる３つの光源部２ａ、２ｂ、２ｃがベース部３に装着されている。これら光源部２ａ、２ｂ、２ｃは、それぞれ矩形平板形状とされ、各々の装着面２Ａを介してベース部３に装着される。光源部２ａ、２ｂ、２ｃの各々は、ベース部３に装着されたときにベース部３の長手方向に沿う辺（以下、長手方向に沿う辺という）の長さが７５ｍｍ（＝コネクタ取付部３１間の長さ）の整数倍となるように構成されている。図例では、光源部２ａ、２ｂ、２ｃ各々の長手方向に沿う辺の長さは、それぞれ７５ｍｍ、１５０ｍｍ、３００ｍｍとされている（図２参照）。また、光源部２ａ、２ｂ、２ｃの各々は、ベース部３に装着されたときにベース部３の短手方向に沿う辺（以下、短手方向に沿う辺という）の長さがすべて７５ｍｍとされている。光源部２ａ、２ｂ、２ｃは、光源部２ａ→２ｂ→２ｃの順にベース部３の長手方向に沿って互いに隣接して配置されている。
【００４１】
光源部２ａ、２ｂ、２ｃは、それぞれの装着面２Ａに自身のベース部３への装着に用いられる係合部２１及び保持部５を有する。係合部２１及び保持部５は、それぞれ長手方向に沿う一方の辺の中央及び長手方向に沿う他方の辺の中央に設けられている。
【００４２】
光源部２ａ、２ｂ、２ｃは、それぞれの装着面２Ａから立設された一対の給電端子２２、２３を有する。給電端子２２、２３は、装着面２Ａにおいて係合部２１側で、かつ係合部２１と保持部５とを結ぶ方向と直交する方向における両端部にそれぞれ設けられている。一方の給電端子２２は、陽極端子２２ａと、陰極端子２２ｂと、により構成されている。これら陽極端子２２ａ及び陰極端子２２ｂは、係合部２１と保持部５とを結ぶ方向と平行な方向に並んで配置されている。同様に、他方の給電端子２３は、陽極端子２３ａと、陰極端子２３ｂと、により構成されている。これら陽極端子２３ａ及び陰極端子２３ｂは、係合部２１と保持部５とを結ぶ方向と平行な方向に並んで配置されている。陽極端子２２ａ、２３ａは、後述するプリント配線基板を介して互いに電気的に接続されている。同様に、陰極端子２２ｂ、２３ｂは、プリント配線基板を介して互いに電気的に接続されている。
【００４３】
ベース部３は、長尺な矩形平板形状とされ、その一面が天井や壁面に取り付けられる取付面３Ａとなっている。図例では、ベース部３の長手方向の長さは、光源部２ａ、２ｂ、２ｃの長手方向に沿う辺の長さの合計と等しい５２５ｍｍ（７５ｍｍ＋１５０ｍｍ＋３００ｍｍ）に設定されている（図２参照）。すなわち、光源部２ａ、２ｂ、２ｃは、ベース部３の長手方向全長に亘って隙間なく配置されている。一方、ベース部３の短手方向の長さは、光源部２ａ、２ｂ、２ｃの短手方向に沿う辺の長さと等しい７５ｍｍに設定されている。
【００４４】
また、ベース部３は、その長手方向に伸びる一対の辺が互いに平行とされ、その一方の辺及び他方の辺に亘って、それぞれ光源部２の係合部２１と係合する被係合部３２及び光源部２の保持部５と係合する被保持部３３を有する。上述したコネクタ取付部３１は、ベース部３において被係合部３２側に設けられている。
【００４５】
また、ベース部３は、その長手方向一端部の被係合部３２側に、光源部２ｃの給電端子２３が挿通される入力コネクタ６を取り付けるための入力コネクタ取付穴３４を有する。入力コネクタ６は、光源部２ｃの給電端子２３と商用電源又は他の発光モジュール１とを電気的に接続するために用いられる。また、ベース部３は、その長手方向他端部の被係合部３２側に、光源部２ａの給電端子２２が挿通されるエンドキャップ３５を取り付けるためのエンドキャップ取付部３６を有する。エンドキャップ３５は、給電端子２２がむき出しにならないように給電端子２２を覆っている。入力コネクタ６及びエンドキャップ３５は、その外表面が絶縁物材料により構成されている。これにより、光源部２のベース部３への装着時又は光源部２の交換時等において、ユーザが給電端子２２、２３に触れて感電するのを防止したり、トラッキングを防止することができる。
【００４６】
また、ベース部３の被保持部３３は、ベース部３に装着された光源部２ａ、２ｂ、２ｃの取り外しを容易にするために、光源部２ａ、２ｂ、２ｃ各々の保持部５に対応する位置に設けられた複数の切り欠き３７を有する。光源部２ａの保持部５は、コネクタ取付部３１間の中間位置に対応する位置に配置され、光源部２ｂ、２ｃ各々の保持部５は、コネクタ取付部３１に対応する位置に配置される。切り欠き３７は、光源部２ａ、２ｂ、２ｃのすべてに対応するために、ベース部３の長手方向端部から３７．５ｍｍ毎に設けられている。
【００４７】
コネクタ４は、互いに隣接する光源部２の境界位置に配置されるようにコネクタ取付部３１に取り付けられる。図例では、光源部２ａ、２ｂの境界位置にコネクタ４ａが配置され、光源部２ｂ、２ｃの境界位置にコネクタ４ｂが配置されている。コネクタ４ａには、光源部２ａの給電端子２３及び光源部２ｂの給電端子２２が挿通される。これら光源部２ａの給電端子２３及び光源部２ｂの給電端子２２は、コネクタ４ａに設けられた端子受け部（後述参照）により互いに電気的に接続される。コネクタ４ｂには、光源部２ｂの給電端子２３及び光源部２ｃの給電端子２２が挿通される。これら光源部２ｂの給電端子２３及び光源部２ｃの給電端子２２は、コネクタ４ｂに設けられた端子受け部（後述参照）により互いに電気的に接続される。
【００４８】
図３に示すように、発光モジュール１は、商用電源ＡＣからの交流電流を直流電流に変換するＡＣ／ＤＣコンバータに接続され照明装置１０を構成する。ＡＣ／ＤＣコンバータは、天井裏や壁裏に配設されている。ＡＣ／ＤＣコンバータから供給された直流電流は、入力コネクタ６→光源部２ｃ→コネクタ４ｂ→光源部２ｂ→コネクタ４ａ→光源部２ａの順で通電され、光源部２ａ、２ｂ、２ｃの各々に内蔵されたＤＣ／ＤＣコンバータにより所望の電圧に変圧される。ＤＣ／ＤＣコンバータは、光源部２ａ、２ｂ、２ｃ各々に設けられた回路部（後述参照）に収納されている。なお、ＤＣ／ＤＣコンバータ及びＡＣ／ＤＣコンバータの両方を回路部に収納する構成としてもよい。
【００４９】
図４乃至図６に示すように、光源部２ａは、矩形平板状の発光パネル２４と、発光パネル２４に給電するためのプリント配線基板２５と、これら発光パネル２４及びプリント配線基板２５を収容するパッケージ７と、を有する。
【００５０】
発光パネル２４は、有機ＥＬ素子を光源として、その発光面側から順に、透光性基板と、発光部と、発光部を封止する封止缶と、を有する（不図示）。発光部は、例えば、透光性基板側から順に、透明導電膜から成る正電極と、発光性有機材料を含む発光層と、光反射性を有する負電極と、を有する。封止缶は、発光部を外気、特に、水分及び酸素から隔離して発光部の劣化を防ぐ。
【００５１】
プリント配線基板２５は、光源部２ａの陽極端子２２ａ、２３ａの各々が挿通される端子挿通部２５ａと、光源部２ａの陰極端子２２ｂ、２３ｂの各々が挿通される端子挿通部２５ｂと、を有する。光源部２ａの陽極端子２２ａ、２３ａ及び陰極端子２２ｂ、２３ｂは、それぞれ端子挿通部２５ａ、２５ｂに挿通されることでプリント配線基板２５と電気的に接続される。端子挿通部２５ａ同士及び端子挿通部２５ｂ同士は、それぞれプリント配線基板２５上に設けられた配線パターン（図４において点線で示す）により互いに電気的に接続されている。
【００５２】
パッケージ７は、矩形の箱型形状とされ、発光パネル２４の発光面とは反対側の面を覆うケース８と、ケース８に係合して発光パネル２４の発光面を覆う透光性のカバー９と、を有する。上述した係合部２１及び保持部５は、ケース８の表面（装着面２Ａ）に設けられている。係合部２１は、保持部５の方向とは反対側の方向に向かって伸びベース部３の被係合部３２に係合する爪２１ａを有する。
【００５３】
保持部５は、装着面２Ａにネジ５１によりネジ止めされた基台５２と、基台５２に一端が固定され基台５２から係合部２１の方向とは反対側の方向（以下、保持部５の係合方向という）に伸びるバネ５３と、バネ５３の他端に固定された爪５４と、を有する。爪５４は、保持部５の係合方向に向かって伸び、ベース部３の被保持部３３に係合する。また、保持部５は、爪５４からベース部３の長手方向に沿う辺と平行な方向に伸びる突起５５と、装着面２Ａから立設され突起５５の保持部５の係合方向への移動を規制する規制部５６と、を有する。規制部５６は、突起５５が嵌り込んでスライドするスライド溝５６ａと、スライド溝５６ａの保持部５の係合方向側に設けられ突起５５と当接する壁５６ｂと、を有する（図６（ａ）（ｂ）参照）。これにより、爪５４（図６（ａ）においてドットで示す）は、保持部５の係合方向に弾性付勢され、同方向においてスライド可能となる。
【００５４】
ケース８は、発光パネル２４と対向する面に開口を有する矩形の箱体とされる。ケース８は、その内周に設けられカバー９との係合に用いられる凹部８１と、その装着面２Ａに設けられ給電端子２２ａ、２２ｂ、２３ａ、２３ｂの各々を外部に導出するための穴８２と、を有する。また、ケース８は、その保持部５近傍の側面に、光源部２のベース部３からの取り外しに用いられる治具（後述参照）を通すための溝８３と、回路基板等を収容する回路部８４と、を有する。回路部８４は、光源部２をベース部３に装着したときに、光源部２の最もベース部３側に突出した部分となる。
【００５５】
カバー９は、発光パネル２４の発光面を覆う矩形の透光性部材９１と、透光性部材９１の周縁を覆う矩形の枠体９２と、枠体９２の各辺から側方に向けて突出しケース８の凹部８１に係合する凸部９３と、を有する（図４参照）。
【００５６】
図７（ａ）（ｂ）に示すように、光源部２ｂ、２ｃは、それぞれのベース部３の長手方向に沿う辺の長さが光源部２ａの２倍又は４倍となっている点を除いて、光源部２ａと同様に構成されている。なお、光源部２が長尺になればなるほど、その長手方向両端部から係合部２１及び保持部５までの距離が大きくなるので、光源部２をベース部３に装着したときに、光源部２がベース部３に対してぐらついて、ベース部３による光源部２の保持が不安定になる虞がある。そのため、光源部２の長手方向に沿う辺の長さは、光源部２ｃの長さ（光源部２ａの４倍、３００ｍｍ）程度に留めておくことが好ましい。あるいは、光源部２に２セットの係合部２１及び保持部５を設けてもよい。また、光源部２の長手方向に沿う辺の長さは、光源部２ａ、２ｂ、２ｃの長さに限定されず、例えば、光源部２ａの３倍としてもよい。
【００５７】
図８及び図９に示すように、入力コネクタ６は、光源部２ｃの陽極端子２３ａが差し込まれる陽極端子差込口６１と、光源部２ｃの陰極端子２３ｂが差し込まれる陰極端子差込口６２と、を有する。また、入力コネクタ６は、陽極端子差込口６１に差し込まれた陽極端子２３ａを挟持する端子受け部６３と、陰極端子差込口６２に差し込まれた陰極端子２３ｂを挟持する端子受け部６４と、端子受け部６３、６４を収納する筒状の収納部６５、６６と、を有する。これら収納部６５、６６の各々には、商用電源又は他の発光モジュールから導出された陽極リード線及び陰極リード線がそれぞれ導入され、これら陽極リード線及び陰極リード線は、それぞれ端子受け部６３、６４の各々と電気的に接続される。また、入力コネクタ６は、自身のベース部３への取り付けに用いられる引っかかり部６７と、自身のベース部３へのネジ止めに用いられるネジ穴６８と、を有する。
【００５８】
端子受け部６３は、板バネを折り曲げたものにより構成されている。端子受け部６３は、入力コネクタ６がベース部３に取り付けられたときにベース部３の長手方向に沿って伸びる基底部６３ａと、基底部６３ａの両端部それぞれから先端が互いに接するようにベース部３の略短手方向に沿って伸びる一対の延伸部６３ｂと、を有する。端子受け部６３は、一対の延伸部６３ｂにより光源部２ｃの陽極端子２３ａを弾性挟持することで、この陽極端子２３ａと電気的に接続される。端子受け部６４は、端子受け部６３と同一の構造を有し、光源部２ｃの陰極端子２３ｂと電気的に接続される。
【００５９】
図１０に示すように、入力コネクタ６は、その収納部６５、６６がベース部３の取付面３Ａ側に露出するようにベース部３に固定される。この固定は、入力コネクタ６の引っかかり部６７とベース部３の入力コネクタ取付部３４に設けられた引っかけ部３４ａとの係合、更には、入力コネクタ６のネジ穴６８とベース部３に設けられたネジ穴３４ｂとを介したネジ止めにより成される。
【００６０】
図１１に示すように、コネクタ４ａは、一面に開口を有する扁平な矩形箱型形状とされ端子受け部（後述参照）を収納保持する保持ケース４０と、保持ケース４０の開口を閉じるように設けられたコネクタカバー４０ａ（後述する図１２、図１３参照）と、を有する。保持ケース４０は、その外表面が絶縁物材料により構成され、光源部２と相対する面に、光源部２ａの陽極端子２３ａが差し込まれる陽極端子差込口４１と、光源部２ａの陰極端子２３ｂが差し込まれる陰極端子差込口４２と、を有する。また、保持ケース４０は、同表面に、光源部２ｂの陽極端子２２ａが差し込まれる陽極端子差込口４３と、光源部２ｂの陰極端子２２ｂが差し込まれる陰極端子差込口４４と、を有する。更に、保持ケース４０は、その側面に自身とコネクタ取付部３１との係合に用いられる複数の突起爪４５を有する。
【００６１】
コネクタ取付部３１は、ベース部３の底面を折り曲げて形成されベース部３の長手方向からコネクタ４ａを挟持する一対の保持片３１ａと、保持片３１ａに設けられコネクタ４ａの突起爪４５と係合する窪み３１ｂと、を有する。コネクタ４ａは、その突起爪４５が窪み３１ｂに係合するようにコネクタ取付部３１に対して上方から押し込まれることで、着脱可能にコネクタ取付部３１に取り付けられる。
【００６２】
図１２及び図１３に示すように、コネクタ４ａは、陽極端子差込口４１に差し込まれた光源部２ａの陽極端子２３ａ及び陽極端子差込口４３に差し込まれた光源部２ｂの陽極端子２２ａを挟持する端子受け部４６を有する。また、コネクタ４ａは、陰極端子差込口４２に差し込まれた光源部２ａの陰極端子２３ｂ及び陰極端子差込口４４に差し込まれた光源部２ｂの陰極端子２２ｂを挟持する端子受け部４７を有する。なお、図１２及び図１３では、コネクタ４ａの保持ケース４０及びケース８の図示が省略されている。
【００６３】
端子受け部４６、４７は、それぞれ上述の入力コネクタ６の端子受け部６３、６４と同様に構成され、ベース部３の略短手方向に沿って伸びる二対の延伸部を有し、各々の延伸部により対応する給電端子を弾性挟持する。これにより、端子受け部４６を介して光源部２ａの陽極端子２３ａと光源部２ｂの陽極端子２２ａとが互いに電気的に接続され、端子受け部４７を介して光源部２ａの陰極端子２３ｂと光源部２ｂの陰極端子２２ｂとが互いに電気的に接続される。
【００６４】
コネクタ４ｂも、上述のコネクタ４ａと同一の構造を有し、光源部２ｂの陽極端子２３ａと光源部２ｃの陽極端子２２ａ、及び光源部２ｂの陰極端子２３ｂと光源部２ｃの陰極端子２２ｂを互いに電気的に接続する。
【００６５】
図１４に示すように、ベース部３の被係合部３２は、係合部２１の爪２１ａと係合するように被保持部３３の方向に向かって伸びる爪３２ａを有する（左側拡大図を参照）。一方、被保持部３３は、保持部５の爪５４と係合するように被係合部３２の方向に向かって伸びる爪３３ａを有する（右側拡大図を参照）。被係合部３２及び被保持部３３は、互いに異なる形状とされ、被係合部３２は係合部２１とのみ係合し、被保持部３３は保持部５（爪５４）とのみ係合する。
【００６６】
被保持部３３の爪３３ａは、保持部５の爪５４と係合したときに爪５４と接触する係合面３３ｂと、頂部３３ｃと、頂部３３ｃを挟んで係合面３３ｂとは反対側にある非係合面３３ｄと、を有する。爪３３ａは、その頂部３３ｃが自身の非係合面３３ｄの基端３３ｅよりもベース部３の取付面３Ａ側に位置するように形成されている。
【００６７】
保持部５の爪５４は、被保持部３３の爪３３ａと係合したときに爪３３ａと接触する係合面５４ａと、頂部５４ｂと、頂部５４ｂを挟んで係合面５４ａとは反対側にある非係合面５４ｃと、を有する。爪５４は、その頂部５４ｂが自身の非係合面５４ｃの基端５４ｄよりも光源部２の装着面２Ａ側に位置するように形成されている。
【００６８】
次に、ベース部３に光源部２を装着するときの動作について図１５（ａ）乃至（ｃ）を参照して説明する。まず、図１５（ａ）に示すように、ベース部３の被係合部３２と光源部２の係合部２１とが互いに近接するように、ベース部３に対して光源部２を斜めに入れ込む。次いで、図１５（ｂ）に示すように、被係合部３２と係合部２１とが係合した状態で、光源部２をベース部３の方向に回動させ、光源部２の爪５４（保持部５）とベース部３の爪３３ａ（被保持部３３）とを互いの非係合面５４ｃ、３３ｄを介して接触させる。このとき、非係合面５４ｃ、３３ｄが、爪５４と爪３３ａとの間でスライド可能な構造とされているので、爪５４が非係合面３３ｄ上をスライドし、その結果、爪５４を係合部２１の方向にスライドさせる力が生じる。これにより、図１５（ｃ）に示すように、爪５４の頂部５４ｂが、爪３３ａの頂部３３ｃを乗り越え、爪５４（保持部５）と爪３３ａ（被保持部３３）とが互いに係合する。このように、爪５４及び爪３３ａ各々の非係合面５４ｃ、３３ｄの傾斜を利用して、回動動作の力を保持部５を係合部２１の方向にスライドさせる力に変換することで、簡単に光源部２を装着部３に装着することができる。
【００６９】
次に、ベース部３から光源部２を取り外すときの動作について図１６を参照して説明する。光源部２の保持部５は、ベース部３の被保持部３３に切り欠き３７が設けられているので、発光モジュール１の外側から押圧可能となっている。ベース部３から光源部２を取り外すときには、保持部５を指で押圧することで保持部５を光源部２の内部方向へスライドさせて保持部５と被保持部３３との係合を外した後、上述したベース部３への光源部２の装着動作を逆の順序で行う。
【００７０】
複数の発光モジュール１同士が、各々の被保持部３３を介して互いに隣接して配置されていたり（例えば、後の図１９参照）、発光モジュール１の側方に障害物があるときには、保持部５を押圧しようとしても指が入らない場合がある。このような場合には、先端が屈曲した細長い治具９６をケース８の溝８３から挿入し、治具９６の先端で保持部５を押圧して保持部５と被保持部３３との係合を外す。あるいは、治具９６の先端を光源部２に引っ掛けて、光源部２をベース部３から引き離すように治具９６を引っ張ることで、保持部５と被保持部３３との係合を外しても良い。
【００７１】
以上のように、本実施形態の発光モジュール１によれば、コネクタ４を任意のコネクタ取付部３１に着脱可能に取り付けることができるので、図１７（ａ）乃至（ｃ）に示すように、コネクタ４の配置を変更することで光源部２の配置自由度を高めることができる。
【００７２】
図１７（ａ）に示すように、光源部２ａ、２ｂ、２ｃの配置は、光源部２ａ→２ｂ→２ｃの順に限定されず、例えば、コネクタ４を置き換えて光源部２ｂ→２ｃ→２ａの順としてもよい。また、図１７（ｂ）に示すように、光源部２は、１種により構成されていてもよく、例えば、すべてのコネクタ取付部３１にコネクタ４を取り付け、７個の光源部２ａを互いに隣接して配置してもよい。また、図１７（ｃ）に示すように、光源部２は、必ずしも互いに隣接して配置される必要はなく、例えば、光源部２ａと発光パネルを有さない光源部であるダミーパネル２６（ドットで示す）とを交互に互いに隣接して配置してもよい。
【００７３】
また、光源部２の長手方向に沿う辺の長さが、コネクタ取付部３１間の長さの整数倍となっているので、コネクタ取付部３１が、常に光源部２の端部に配置される。また、互いに隣接する光源部２同士がコネクタ４により電気的に接続され、かつ各々の光源部２が自身の内部を通して隣接する光源部２に電力を供給するように構成されている。そのため、発光モジュール１がリード線の導出等の無いシンプルな構造となり、一般ユーザであっても光源部２の交換や配置変更を簡単に行うことができる。
【００７４】
また、ベース部３の長手方向に伸びる一対の辺が互いに平行とされ、かつベース部３の短手方向の長さが、光源部２ａ、２ｂ、２ｃ各々のベース部３の短手方向の沿う辺の長さと等しく構成されている。そのため、光源部２ａ、２ｂ、２ｃの各々を、ベース部３の長手方向に亘って任意の箇所に配置することができる。
【００７５】
また、光源部２の保持部５がスライド可能に構成されているので、ベース部３に光源部２を取り付ける動作やベース部３から光源部２を取り外す動作が容易になり、光源部２を簡単に交換することができる。また、保持部５をスライド可能とすることで光源部２をベース部３からはみ出さずに着脱することが可能となるので、光源部２ａ、２ｂ、２ｃの各々を互いに近接させて配置して、光源部２間の隙間を小さくすることができる。これにより、例えば、光源部２ａ、２ｂ、２ｃをすべて発光させる場合に、光源部２間の境界が目立たない自然な発光面を得ることができる。
【００７６】
また、ベース部３の被係合部３２は光源部２の係合部２１とのみ係合し、ベース部３の被保持部３３は光源部２の保持部５とのみ係合するので、ベース部３に光源部２を取り付けるときに光源部２を誤った方向で取り付けることが防止される。
【００７７】
また、光源部２の給電端子２２、２３が装着面２Ａにおいて係合部２１側に設けられ、かつコネクタ４（コネクタ取付部３１）がベース部３において被係合部３２側に設けられている。そのため、光源部２をベース部３に装着するときに、光源部２の係合部２１とベース部３の被係合部３２とを互いに近接させると、給電端子２２、２３の一部がコネクタ４（図１５においてドットで示す）の差込口４１乃至４４に差し込まれた状態となる。そして、この状態から光源部２をベース部３の方向に回動させると、係合部２１と被係合部３２とが互いに係合すると共に、給電端子２２、２３がコネクタ４の差込口４１乃至４４に挿通される。このように、回動動作によって係合部２１と被係合部３２との係合、及び給電端子２２、２３のコネクタ４への挿通を同時に行うことができるので操作性が良い。
【００７８】
また、回動動作の前に給電端子２２、２３の一部がコネクタ４の差込口４１乃至４４に差し込まれることで、ベース部３に対して光源部２が正しい取付位置に取り付けられていることを確認することができる。更に、回動動作により給電端子２２、２３がコネクタ４の差込口４１乃至４４に差し込まれるので、回動動作の間に光源部２がベース部３に対して位置ズレするのを防止することができる。
【００７９】
また、コネクタ４の端子受け部４６、４７及び入力コネクタ６の端子受け部６３、６４の延伸部は、ベース部３の略短手方向に沿って伸びている（図１２参照）。そのため、ベース部３に対して光源部２を回動するときに、これら端子受け部４６、４７が給電端子２２、２３の回動動作を妨害しないので、スムーズに回動動作を行うことができる。また、給電端子２２、２３が光源部２の端部に配置されているので、光源部２の中央に部材を収容するスペースを確保して、光源部２を薄型化することができる。
【００８０】
次に、本実施形態の第１の変形例に係る発光モジュールついて図１８（ａ）（ｂ）を参照して説明する。発光モジュール１１は、２つのベース部３を接合部Ｊを介して互いに連結し、この接続部Ｊをまたぐように光源部２を配置したものである。図例では、長手方向の長さが９００ｍｍのベース部３を２つ互いに接続し、全長が１８００ｍｍの発光モジュール１１を構成している。接続部Ｊを光源部２でまたぐ配置は、コネクタ取付部３１間の長さ（７５ｍｍ）の２倍以上の長さを有する光源部２ｂ又は光源部２ｃを用いた場合に可能である。しかしながら、光源部２ｂを用いた場合には、その保持部５が接続部Ｊに位置するので、光源部２ｂとベース部３との係合が不安定になる。従って、図１８（ａ）に示すように、光源部２ｃをその保持部５が接続部Ｊに位置しないように配置することが好ましい。
【００８１】
上述のように、光源部２が光源部２ａ、２ｂ、２ｃの３種から構成されている場合には、接続部Ｊをまたぐ光源部２として光源部２ｃしか好適に用いることができない。そのため、光源部２の配置パターンが限定される。そこで、図１８（ｂ）に示すように、ベース部３の長手方向に沿う辺の長さが２２５ｍｍとされる光源部２ｄを更に設けてもよい。光源部２ｄは、その保持部５が接続部Ｊに位置することなく接続部Ｊをまたぐことができる。このように、接続部Ｊをまたぐ光源部２として光源部２ｃに加えて光源部２ｄを用いることで、光源部２ｃしか用いることができない場合に比べて、光源部２の配置自由度が増す。
【００８２】
発光モジュール１１によれば、２つのベース部３を光源部２により互いに連結して、長尺な発光モジュールを得ることができる。なお、連結されるベース部３の数は、２つに限定されず３つ以上であってもよい。
【００８３】
次に、本実施形態の第２の変形例に係る発光モジュールについて図１９を参照して説明する。発光モジュール１２は、上述の図１８（ｂ）に示した発光モジュール１１をベース部３の短手方向に沿って互いに隣接して複数配置したものである。図例では、８個の発光モジュール１１を配置した構成を示す。
【００８４】
各々の発光モジュール１１は、その長手方向端部に設けられたエンドコネクタ４８を介して自身に隣接する発光モジュール１１と電気的に接続される。エンドコネクタ４８は、自身に挿通された光源部２の給電端子２２、２３と外部に設けられた給電端子とを導体３０を介して接続するものであり、その外表面が絶縁物材料により構成されている。導体３０は、例えば、リード線や、給電端子２２、２３と接続される部分以外が絶縁物により被覆された導電性金属板により構成される。
【００８５】
エンドコネクタ４８は、エンドキャップ取付部３６及び入力コネクタ取付穴３４の両方に取付可能とされ、以下の説明では、前者に取り付けたものをエンドコネクタ４８ａと呼び、後者に取り付けたものをエンドコネクタ４８ｂと呼ぶ。また、８個の発光モジュール１１を互いに区別するために、紙面の上側から順にそれぞれ発光モジュール１１ａ乃至１１ｈと呼ぶ。なお、図１９では、コネクタ４及びコネクタ取付部３１の図示を省略し、発光モジュール１１ａを除いて光源部２の図示を省略している。
【００８６】
発光モジュール１１ａは、その長手方向一端部に入力コネクタ取付穴３４に取り付けられＡＣ／ＤＣコンバータと接続された入力コネクタ６を有し、その長手方向他端部にエンドコネクタ４８ａを有する。ＡＣ／ＤＣコンバータから入力コネクタ６に入力された電力は、光源部２を介してエンドコネクタ４８ａに通電される。発光モジュール１１ａのエンドコネクタ４８ａは、発光モジュール１１ｂのエンドコネクタ４８ｂと導体３０を介して電気的に接続されている。このとき、導体３０は、発光モジュール１１ａのエンドキャップ取付部３６近傍の被保持部３３に設けられた導体取り出し穴３９と、発光モジュール１１ｂの入力コネクタ取付穴３４近傍の被保持部３３に設けられた導体取り出し穴３８と、を通って配設されている。
【００８７】
発光モジュール１１ｂのエンドコネクタ４８ａは、発光モジュール１１ｃのエンドコネクタ４８ｂと導体３０を介して接続されている。このとき、導体３０は、発光モジュール１１ｂのエンドキャップ取付部３６近傍の被係合部３２に設けられた導体取り出し穴３９と、発光モジュール１１ｃの入力コネクタ取付穴３４近傍の被係合部３２に設けられた導体取り出し穴３８と、を通って配設されている。以下、同様にして、発光モジュール１１ｃ乃至１１ｈが互いに電気的に接続され、発光モジュール１１ｈのエンドキャップ取付部３６にはエンドキャップ３５が取り付けられている。
【００８８】
このように発光モジュール１１ａ乃至１１ｈを接続することで、ＡＣ／ＤＣコンバータから供給された電力は、入力コネクタ６、光源部２、エンドコネクタ４８ａ、リード線３０及びエンドコネクタ４８ｂを介して発光モジュール１１ａ乃至１１ｈに通電される。
【００８９】
有機ＥＬ素子の発光層は、例えば、スリットノズルから噴射された発光性有機材料を塗布することで形成される。この場合、発光層の幅は、スリットノズルの幅以上にすることができないので、大きな発光面を有する発光モジュールを得ることは困難である。発光モジュール１２によれば、発光モジュール１１ａ乃至１１ｈを互いに近接させた状態で電気的に接続することができるので、全体として大きな発光面を有する発光モジュールを得ることができる。また、導体３０は、導体取り出し穴３８、３９を通って配設されているので、発光モジュール１２の外部に露出せず、これにより、発光モジュール１２の見栄えを良くすることができる。
【００９０】
次に、本実施形態の第３の変形例に係る発光モジュールについて図２０を参照して説明する。発光モジュール１３は、２つの上述した発光モジュール１を導体３０により互いに電気的に接続したものである。一方の発光モジュール１ａは、その長手方向一端部に入力コネクタ６を有し、その長手方向他端部にエンドコネクタ４８ａを有する。他方の発光モジュール１ｂは、その長手方向一端部にエンドコネクタ４８ｂを有し、その長手方向他端部にエンドキャップ３５を有する。導体３０は、発光モジュール１ａのエンドコネクタ４８ａに挿通された給電端子（不図示）と、発光モジュール１ｂのエンドコネクタ４８ｂに挿通された給電端子（不図示）と、を電気的に接続する。
【００９１】
発光モジュール１３によれば、複数の発光モジュール１を簡単な構成で互いに電気的に接続することができる。なお、互いに接続される発光モジュール１の数は、２つに限定されず、３つ以上であってもよい。
【００９２】
次に、本発明の第２の実施形態に係る発光モジュールについて図２１乃至図２８を参照して説明する。図２１及び図２２に示すように、発光モジュール１４では、コネクタ取付部３１が、ベース部３において被保持部３３側に設けられ、また、これに対応して、給電端子２２、２３が、装着面２Ａにおいて保持部５側に設けられている。
【００９３】
また、光源部２は、これら給電端子２２、２３の各々に並んで配置された信号端子２７、２８を更に有する。信号端子２７、２８は、光源部２の発光を制御する信号を伝達する。給電端子２２の陽極端子２２ａ及び陰極端子２２ｂ並びに信号端子２７は、この並び順で、保持部５と係合部２１とを結ぶ方向と平行な方向に保持部５側から並んで配置されている。同様に、給電端子２３の陽極端子２３ａ及び陰極端子２３ｂ並びに信号端子２８は、この並び順で、保持部５と係合部２１とを結ぶ方向と平行な方向に保持部５側から並んで配置されている。
【００９４】
また、発光モジュール１４では、ベース部３が、自身を天井や壁面等の施工面にネジ止めするためのネジ３ａ（図２１参照）を挿通する複数のネジ穴３ｂを有する。複数のネジ穴３ｂは、コネクタ取付部３１の取付ピッチと半ピッチずらして設けられている。このようにすることで、コネクタ４ａ、４ｂとネジ３ａとの干渉を防止して、コネクタ４ａ、４ｂの位置を気にせずにベース部３を施工面にネジ止め固定することができる。
【００９５】
また、発光モジュール１４では、コネクタ４ｂが、入力コネクタ６としても機能する。図２３（ａ）に示すように、コネクタ４ｂ（入力コネクタ６）は、保持ケース４０と、陽極端子２２ａ及び陰極端子２２ｂの各々を挟持する端子受け部４６、４７と、信号端子２７を挟持する端子受け部４９と、入力コネクタカバー４０ａと、を有する。入力コネクタカバー４０ａは、商用電源又は他の発光モジュールから導出された陽極リード線、陰極リード線及び信号線の各々をコネクタ４ｂに接続するための外部線接続部４０ｂ、４０ｃ、４０ｄを有する。また、コネクタ４ｂは、外部線接続部４０ｂ、４０ｃ、４０ｄに導入された陽極リード線、陰極リード線及び信号線の各々と、端子受け部４６、４７、４９の各々と、を電気的に接続するためのリード線端子部５０ａ、５０ｂ、５０ｃを有する。リード線端子部５０ａ、５０ｂ、５０ｃの各々は、それぞれ端子受け部４６、４７、４９の端子挟持動作に影響のない部位に接続されている。
【００９６】
一方、図２３（ｂ）に示すように、コネクタ４ａは、コネクタ４ｂと同一の保持ケース４０及び端子受け部４６、４７、４９を有し、入力コネクタカバー４０ａの代わりにコネクタカバー４０ｅを有する。このように、コネクタ４ａとコネクタ４ｂ（入力コネクタ６）との間で複数の部材を共通化することで、製造する部材の種類を減らして製造コストを低減することができる。また、コネクタ４ａにリード線端子部５０ａ、５０ｂ、５０ｃを付加して、コネクタ４ａのコネクタカバー４０ｅを入力コネクタカバー４０ａに交換すれば、コネクタ４ａをコネクタ４ｂ（入力コネクタ６）に変更することができる。
【００９７】
図２４に示すように、入力コネクタ６と商用電源又は他の発光モジュールとを接続するときには、発光モジュール１４を取り付ける施工面に、入力コネクタ６の外部線接続部４０ｂ、４０ｃ、４０ｄが挿入される穴Ｈが好適に設けられる。これにより、外部線接続部４０ｂ、４０ｃ、４０ｄから導出された各種配線を、施工面の裏側に配設することができる。また、このような穴Ｈは、入力コネクタ６が発光モジュール１４の内方に設けられているので、ベース部３の投影面内に収まってベース部３により隠される。そのため、各種配線及び穴Ｈが外部に露出するのを防止して、発光モジュール１４の見た目を良くすることができる。
【００９８】
図２５に示すように、コネクタ取付部３１を構成する一対の保持片３１ａのベース部３の長手方向における間隔Ｄは、保持部５の幅よりも大きくなるように構成されている。これにより、ベース部３に光源部２を装着したときに、光源部２の保持部５が、一対の保持片３１ａの間に収容されて保持片３１ａと干渉しなくなる。
【００９９】
図２６（ａ）は、一対の保持片３１ａがベース部３の短手方向からコネクタ４ａ、４ｂを挟持する場合を示す。この場合には、光源部２からベース部３側に突出した回路部８４（ドットで示す）と、ベース部３から光源部２側に突出した保持片３１ａとの干渉を避けるために、回路部８４を小さく構成する必要がある。これに対して、図２６（ｂ）に示すように、発光モジュール１４では、一対の保持片３１ａがベース部３の長手方向からコネクタ４ａ、４ｂを挟持するので、上述した図２６（ａ）に示した場合に比べて、回路部８４を大きく構成することができる。
【０１００】
図２７に示すように、光源部２において、カバー９は、ケース８及び発光パネル２４を収納し、光源部２の発光面及び側面を覆うように構成されている。このようにすることで、光源部２の発光面からだけでなく側面からも光が出射されるようになるので、複数の光源部２を互いに隣接してベース部３に装着した場合に、光源部２間の境界で出射光が混ざり合う。これにより、光源部２間の光の連続性が保たれて、光源部２間の境界を目立たなくすることができる。
【０１０１】
上記のように構成された光源部２をベース部３に装着するときの動作を図２８（ａ）乃至（ｃ）を参照して説明する。なお、図２８（ｂ）は、図２８（ａ）からコネクタ４の保持ケース４０の図示を省略したものである。また、図２８（ａ）乃至（ｃ）では、断面のハッチングを省略している。
【０１０２】
図２８（ａ）（ｂ）は、光源部２の係合部２１とベース部３の被係合部３２とを互いに係合させ、光源部２の保持部５とベース部３の被保持部３３とを互いの非係合面５４ｃ、３３ｄを介して接触させた状態を示す（図２８（ｂ）の右側拡大図参照）。この状態では、保持部５と被保持部３３とは、まだ係合していない。このとき、信号端子２７（２８）は、端子受け部４９に挿入開始しており、これにより、ベース部３の長手方向（紙面の奥側から手前側の方向）におけるベース部３に対する光源部２の位置決めが成される。一方、このとき、陽極端子２２ａ（２３ａ）は、端子受け部４６に接触していない。陰極端子２２ｂ（２３ｂ）は、端子受け部４７に接触していても接触していなくてもよい。この状態では、陽極端子２２ａ（２３ａ）が端子受け部４６に接触していないので、光源部２には通電されない。
【０１０３】
次いで、図２８（ｃ）に示すように、保持部５と被保持部３３とを互いに係合させると、すべての端子２７（２８）、２２ｂ（２３ｂ）、２２ａ（２３ａ）が、各々の端子受け部４９、４７、４６に挿入されて、光源部２への通電が開始される。このように、光源部２とベース部３との係合と光源部２への通電とが同時に起こるので、光源部２がベース部３へ装着される前に光源部２への通電が起こるのを防止して、安全に光源部２をベース部３に装着することができる。
【０１０４】
次に、上記第２の実施形態の変形例に係る発光モジュールについて図２９及び図３０を参照して説明する。図２９（ａ）に示すように、本変形例の発光モジュールでは、コネクタ取付部３１及びコネクタ４の形状が、上述した発光モジュール１４のものとは異なる。
【０１０５】
本変形例のコネクタ取付部３１では、一対の保持片３１ａの各々が、それぞれ複数の保持断片を有し、図例では、２つの保持断片７１、７２を有する。保持断片７１、７２は、ベース部３の底面から光源部２側に立設された立設片７１ａ、７２ａと、立設片７１ａ、７２ａに設けられコネクタ４の突起爪７４ｂ、７５ｂ（後述参照）と係合する窪み７１ｂ、７２ｂと、を有する。また、保持断片７１、７２は、立設片７１ａ、７２ｂの光源部２側の端部から他方の保持片３１ａにおける保持断片７１、７２に向かって伸びるコネクタ抱え込み片７１ｃ、７２ｃを有する。コネクタ抱え込み片７１ｃ、７２ｃは、コネクタ取付部３１にコネクタ４が取り付けられたときに、コネクタ４を光源部２側から保持する。一の保持片３１ａにおける保持断片７１、７２の各々は、自身に隣接する保持断片７２、７１に対してベース部３の短手方向における保持断片７１、７２の長さよりも長い間隔を置いて配されている。
【０１０６】
コネクタ４は、ベース部３の長手方向における各側面に自身のコネクタ取付部３１への取り付けに用いられる一対のスライド部７３を有する。一対のスライド部７３の各々は、それぞれ複数のスライド部断片を有し、図例では、２つのスライド部断片７４、７５を有する。スライド部断片７４、７５は、ベース部３の長手方向におけるコネクタ４の各側面から突設された突設部７４ａ、７５ａと、同方向における突設部７４ａ、７５ａの各側面から突設された突起爪７４ｂ、７５ｂと、を有する。突起爪７４ｂ、７５ｂの各々は、その頂部から発光モジュール内方側に向かう面及び発光モジュール外方側に向かう面の両方がテーパ状とされ、ベース部３の長手方向に対して弾性押圧可能に構成されている。また、スライド部断片７４、７５は、ベース部３の短手方向における突設部７４ａ、７５ａの発光モジュール内方側の端部から光源部２側に伸長した伸長部７４ｃ、７５ｃを有する。伸長部７４ｃ、７５ｃは、コネクタ４がコネクタ取付部３１に取り付けられたときに、コネクタ抱え込み片７１ｃ、７２ｃと当接する。
【０１０７】
一のスライド部７３におけるスライド部断片７４、７５は、自身に隣接するスライド部断片７５、７４に対して保持断片７１、７２間の間隔と等しい間隔を置いて配されている。また、ベース部３の短手方向におけるスライド部断片７４、７５の長さは、同方向における保持断片７１、７２の長さと等しくなるように構成されている。なお、スライド部断片７４、７５は、伸長部７４ｃ、７５ｃを有さない構成とされてもよい。また、スライド部７３及び保持片３１ａは、互いに対応した数および配置で設けられていればよく、必ずしも複数に分割されていなくてもよいし、３つ以上に分割されていてもよい。
【０１０８】
コネクタ取付部３１にコネクタ４を取り付けるときの動作について、上述した図２９（ａ）に加えて図２９（ｂ）（ｃ）を更に参照して説明する。まず、図２９（ａ）に示すように、各々の保持片３１ａにおいて保持断片７１、７２の間にスライド部断片７４が配置されるように、コネクタ４をコネクタ取付部３１に嵌め込む。次いで、図２９（ｂ）に示すように、コネクタ４をベース部３の短手方向に沿って発光モジュール外方側に移動させる。これにより、図２９（ｃ）に示すように、スライド部断片７４、７５がコネクタ抱え込み片７１ｃ、７２ｃとベース部３との間にスライド差込されると共に、突起爪７４ｂ、７５ｂが窪み７１ｂ、７２ｂに係合してコネクタ４がコネクタ取付部３１に取り付けられる。このとき、突起爪７４ｂ、７５ｂがテーパ状且つ弾性押圧可能に構成されているので、突起爪７４ｂ、７５ｂと窪み７１ｂ、７２ｂとの係合は可逆的となり、これにより、コネクタ４をコネクタ取付部３１に着脱可能に取り付けることができる。また、伸長部７４ｃ、７５ｃがコネクタ抱え込み片７１ｃ、７２ｃと当接することでコネクタ４の過度のスライド差込が抑制されるので、コネクタ４をコネクタ取付部３１に対して適正な位置に配置することができる。更に、保持片３１ａ及びスライド部７３を断片とすることで、保持片３１ａ及びスライド部７３を断片としない場合に比べて、より少ないスライド量でコネクタ４をコネクタ取付部３１に取り付けることができる。これにより、コネクタ４のスライド装着のためにコネクタ取付部３１の発光モジュール内方側に設けるスペースを小さくすることができるので、発光モジュールの小型化を図ることができる。
【０１０９】
図３０に示すように、光源部２をベース部３から取り外すときには、光源部２の給電端子２２、２３や信号端子２７がコネクタ４から引き抜かれることに伴い、コネクタ４に対して光源部２の取り外し方向（矢印で示す）への力が加わる。このような力がコネクタ４に加わった場合でも、コネクタ４のスライド部断片７４（７５）がコネクタ抱え込み片７１ｃ（７２ｃ）とベース部３との間に挟持されているので、コネクタ４が意図せずコネクタ取付部３１から外れるのを防止することができる。なお、図３０では、図を分かり易くするために断面のハッチングを省略している。
【０１１０】
なお、本発明に係る発光モジュール及びそれを用いた照明装置は、上記実施形態及びその変形例に限定されず、種々の変形が可能である。例えば、ベース部の長手方向に沿って伸びる光源部の辺の長さは、必ずしもコネクタ取付部間の長さの整数倍である必要はなく、任意の長さとされてもよい。また、ベース部の長手方向に伸びる一対の辺は、必ずしも互いに平行である必要はない。また、ベース部への光源部の装着様式は、被係合部及び係合部並びに被保持部及び保持部の係合に限定されず、例えば、ベース部への光源部のネジ止めであってもよい。また、光源部の光源は、有機ＥＬ素子に限定されず、例えば、ＬＥＤや蛍光灯であってもよい。また、第１の実施形態に係る発光モジュールは、信号端子を更に備える構成とされてもよい。
【符号の説明】
【０１１１】
１、１１、１２、１３、１４  発光モジュール
１０  照明装置
２、２ａ、２ｂ、２ｃ、２ｄ  光源部
２Ａ  装着面
２１  係合部
２２、２３  給電端子
２２ａ、２３ａ  （給電端子の）陽極端子
２２ｂ、２３ｂ  （給電端子の）陰極端子
２７、２８  信号端子
２４  発光パネル
３  ベース部
３ａ  ネジ
３ｂ  ネジ穴
３０  導体
３１  コネクタ取付部
３１ａ  保持片
３２  被係合部
３３  被保持部
３３ａ  （被保持部の）爪
３５  エンドキャップ
３７  切り欠き
３８、３９  導体取り出し穴
４、４ａ、４ｂ  コネクタ
４０  保持ケース
４１、４２、４３、４４  端子差込口
４６、４７、４９  （コネクタの）端子受け部
４８  エンドコネクタ
５０ａ、５０ｂ、５０ｃ  リード線端子部
５  保持部
５４  （保持部の）爪
６  入力コネクタ
７  パッケージ
７１、７２  保持断片
７１ｃ、７２ｃ  コネクタ抱え込み片
７３  スライド部
７４、７５  スライド部断片
７４ｃ、７５ｃ  伸長部
８  ケース
９  カバー
Ｄ  一対の保持片のベース部の長手方向における間隔
【図１】
2014103097.tif 000003
【図２】
2014103097.tif 000004
【図３】
2014103097.tif 000005
【図４】
2014103097.tif 000006
【図５】
2014103097.tif 000007
【図６】
2014103097.tif 000008
【図７】
2014103097.tif 000009
【図８】
2014103097.tif 000010
【図９】
2014103097.tif 000011
【図１０】
2014103097.tif 000012
【図１１】
2014103097.tif 000013
【図１２】
2014103097.tif 000014
【図１３】
2014103097.tif 000015
【図１４】
2014103097.tif 000016
【図１５】
2014103097.tif 000017
【図１６】
2014103097.tif 000018
【図１７】
2014103097.tif 000019
【図１８】
2014103097.tif 000020
【図１９】
2014103097.tif 000021
【図２０】
2014103097.tif 000022
【図２１】
2014103097.tif 000023
【図２２】
2014103097.tif 000024
【図２３】
2014103097.tif 000025
【図２４】
2014103097.tif 000026
【図２５】
2014103097.tif 000027
【図２６】
2014103097.tif 000028
【図２７】
2014103097.tif 000029
【図２８】
2014103097.tif 000030
【図２９】
2014103097.tif 000031
【図３０】
2014103097.tif 000032